(57)【要約】  パネル吸込口ＵＩとパネル吹出口ＵＯとは、互いに対向するように下面パネル３にて形成し、パネル吸込口ＵＩに吸い込まれる吸込気流Ａ１の方向と、パネル吹出口ＵＯから吹き出された吹出気流Ｂ２の方向とが同一になるように配置して、吸込気流Ａ１および吹出気流Ｂ２が天井面に沿って流れるようにする。
2010097883.tif 000002
【特許請求の範囲】
【請求項１】
互いに独立した排気通風路と給気通風路とが形成された外装ケーシングと、
前記外装ケーシングの下方に設けられ、パネル吸込口とパネル吹出口とを互いに対向するように形成する下面パネルと、
前記外装ケーシングに収容され、前記パネル吸込口に吸い込ませた吸込気流を前記排気通風路に送り、排気流として排気させる排気用送風機と、
前記外装ケーシングに収容され、前記給気通風路に給気させた給気流を前記パネル吹出口に送り、吹出気流として吹き出させる給気用送風機とを備えることを特徴とする同時給排形換気扇。
【請求項２】
前記パネル吸込口とパネル吹出口とは、前記下面パネルに沿って吸込気流および吹出気流が形成されるように前記下面パネルの縁部に形成されることを特徴とする請求項１に記載の同時給排形換気扇。
【請求項３】
前記パネル吸込口とパネル吹出口とは、前記パネル吸込口に吸い込まれる吸込気流の方向と、前記パネル吹出口から吹き出された吹出気流の方向とが同一になるように配置されていることを特徴とする請求項１または２に記載の同時給排形換気扇。
【請求項４】
前記パネル吸込口とパネル吹出口とは、前記下面パネルと天井面との間に形成されることを特徴とする請求項１から３のいずれか１項に記載の同時給排形換気扇。
【請求項５】
前記パネル吸込口側または前記パネル吹出口側のいずれか少なくとも一方の前記下面パネルが天井面と対向するように排気室もしくは吸気室より張り出していることを特徴とする請求項１から４のいずれか１項に記載の同時給排形換気扇。
【請求項６】
前記パネル吹出口は、斜め下に向けられていることを特徴とする請求項１または２に記載の同時給排形換気扇。
【請求項７】
前記下面パネルと前記外装ケーシングとの間に配置され、前記外装ケーシングとの間の間隔を調整可能なパネル外装枠と、
前記下面パネルに設けられ、前記排気通風路に通じる排気室と、前記給気通風路に通じる給気室を、前記パネル外装枠の壁面とともに互いに独立して形成し、外装ケーシングと下面パネルととの間隔を調整可能なセパレータとをさらに備えることを特徴とする請求項１から６のいずれか１項に記載の同時給排形換気扇。
【請求項８】
前記パネル吸込口と前記排気用送風機との間に設けられた排気側除塵フィルタと、
前記給気用送風機の上流側に設けられた給気側除塵フィルタとをさらに備えることを特徴とする請求項７に記載の同時給排形換気扇。
【請求項９】
前記下面パネルは、片側が独立して開くことができるように２分割されていることを特徴とする請求項１から８のいずれか１項に記載の同時給排形換気扇。
【請求項１０】
前記給気用送風機は、前記下面パネルの水平面に向けて前記給気流を送出し、前記給気流が前記下面パネルにて水平方向に向きを変えられて前記パネル吹出口から吹出気流として吹き出されることを特徴とする請求項１から９のいずれか１項に記載の同時給排形換気扇。
【請求項１１】
給排気通風路が形成された外装ケーシングと、
前記外装ケーシングの下方に設けられ、パネル吸込口とパネル吹出口とを互いに対向するように形成する下面パネルと、
前記外装ケーシングに収容され、前記パネル吸込口から吸い込ませた吸込気流を吹出気流として前記パネル吹出口から吹き出させるファンと、
前記外装ケーシングに収容され、前記パネル吸込口から吸い込まれた吸込気流の温度を調節する熱交換器とを備えることを特徴とする空調装置。
【請求項１２】
給排気通風路が形成された外装ケーシングと、
前記外装ケーシングの下方に設けられ、パネル吸込口とパネル吹出口とを互いに対向するように形成する下面パネルと、
前記外装ケーシングに収容され、前記パネル吸込口から吸い込ませた吸込気流を吹出気流として前記パネル吹出口から吹き出させるファンと、
前記外装ケーシングに収容され、前記パネル吸込口から吸い込まれた吸込気流の濾過を行うフィルタとを備えることを特徴とする空調装置。
【発明の詳細な説明】
【技術分野】
【０００１】
本発明は同時給排形換気扇および空調装置に関し、特に、天井に固定された化粧パネルにて形成されるパネル吸込口から室内の空気を吸い込みながら、パネル吹出口から室内に空気を吹き出す同時給排形換気扇に関する。
【背景技術】
【０００２】
室内の状態量の変動の少ない換気を実現するために、同時給排形換気扇を天井に取り付け、熱交換を行いながら同時給排気を行う方法がある。【０００３】
このような同時給排形換気扇として、特許文献１には、外箱内に角柱状の熱交換器を収納し、この熱交換器を天井面パネルで覆い、室外から給気された外気を熱交換器の流入側から流出側に通して天井面パネルに設けられた室内側吹出口から室内へ吹き出し、天井面パネルに設けられた室内側吸込口から吸い込まれた吸込気流を、熱交換器の流入側から流出側に通して室外へ排気する同時給排形換気扇が開示されている。この同時給排形換気扇では、複数個の熱交換器が長手方向の稜線を対向させて幅方向に並列に配置され、熱交換器の外気流出側および排気流入側がそれぞれ天井面パネルに対向され、天井向パネルの側面の内の三側面に室内側吹出口が設けられるとともに、一側面に室内側吹込口が設けられている。【０００４】
また、特許文献２には、外箱内に角柱状の熱交換器を収納し、この熱交換器を天井面パネルで覆い、室外から給気された外気を熱交換器の流入側から流出側に通して、天井面パネルに設けられた室内側吹出口から室内へ吹き出し、天井面パネルに設けられた室内側吸込口から吸い込まれた吸込気流を、熱交換器の流入側から流出側に通して室外へ排気する同時給排形換気扇が開示されている。この同時給排形換気扇では、複数個の熱交換器が長手方向の稜線を対向させて幅方向に並列に配置され、熱交換器の外気流出側及び排気流入側がそれぞれ天井面パネルに対向され、天井面パネルの両側部に室内側吹出口が設けられるとともに、中央部に室内側吸込口が設けられている。【０００５】
また、特許文献３には、室内へ製品本体を取り付け、室外側給気口と給気用送風機を介して、排気用送風機より遠ざかった位置に設けられる給気口と排気用送風機の前方に設けられる排気口とを設けた本体と、この本体の前方側を覆う形状で給気口と連通する室内側給気口を設けた前面パネルとを備え、排気口と連通する室内側排気口を本体の上面と下面および側面に形成する方法が開示されている。【０００６】
【特許文献１】特開昭６２−１５３６４２号公報
【特許文献２】特開昭６２−１５３６４３号公報
【特許文献３】特開２００５−２７４０９８号公報
【発明の開示】
【発明が解決しようとする課題】
【０００７】
しかしながら、特許文献１、２の技術によれば、室内の下面パネルの同一面上もしくは隣り合う位置に室内側吹出口および室内側吸込口が設けられている。そのため、室内側吹出口から室内に吹き出された吹出気流と、室内から室内側吸込口に吸い込まれる吸込気流との間でショートサーキットを起こしやすく、室内の換気による循環が悪化し、換気効率が低下するという問題があった。【０００８】
また、特許文献１、２の技術によれば、製品本体の下面パネル上に室内側吹出口および室内側吸込口が設けられている。そのため、給気用送風機および排気用送風機からの騒音が、室内側吹出口および室内側吸込口から製品の真下にいる人へ直接届くという問題があった。【０００９】
また、特許文献１、２の技術によれば、下面パネル上へ室内側吹出口が設けられているため、吹出気流が製品の真下にいる人に直接当たり、特に冬季においてドラフト感が発生するという問題があった。【００１０】
一方、このようなドラフト感を低減するために、室内側吹出口に吹出気流の風向を調節するルーバーを設置すると、給気口面積を狭め、風路圧損となることから、換気風量が低下するという問題があった。【００１１】
また、特許文献３の技術によれば、同時給排形換気扇を天井面へ設置した場合、製品本体が天井面から大きく飛び出すようになる。そのため、天井面の意匠性が悪化したり、吹出口もしくは吸込口から製品の真下にいる人へ騒音が直接届いたりするという問題があった。【００１２】
本発明は、上記に鑑みてなされたものであって、室内に吹き出された吹出気流と、室内から吸い込まれる吸込気流との間でショートサーキットが起こるのを抑制することが可能な同時給排形換気扇および空調装置を得ることを目的とする。
【課題を解決するための手段】
【００１３】
上述した課題を解決し、目的を達成するために、本発明の同時給排形換気扇は、互いに独立した排気通風路と給気通風路とが形成された外装ケーシングと、前記外装ケーシングの下方に設けられ、パネル吸込口とパネル吹出口とを互いに対向するように形成する下面パネルと、前記外装ケーシングに収容され、前記パネル吸込口に吸い込ませた吸込気流を前記排気通風路に送り、排気流として排気させる排気用送風機と、前記外装ケーシングに収容され、前記給気通風路に給気させた給気流を前記パネル吹出口に送り、吹出気流として吹き出させる給気用送風機とを備えることを特徴とする。
【発明の効果】
【００１４】
この発明によれば、室内に吹き出された吹出気流と、室内から吸い込まれる吸込気流との間でショートサーキットが起こるのを抑制することが可能という効果を奏する。
【図面の簡単な説明】
【００１５】
【図１】図１は、本発明に係る同時給排形換気扇の実施の形態１の外観構成を示す斜視図である。
【図２】図２は、図１の同時給排形換気扇の使用時の状態を示す斜視図である。
【図３】図３は、図１の同時給排形換気扇の内部構成の一例を透視して示す斜視図である。
【図４】図４は、図３の同時給排形換気扇を吸込気流Ａ１および吹出気流Ｂ２の流れる方向に沿って切断して示す断面図である。
【図５】図５は、図３の同時給排形換気扇の内部構成の一例を切り欠いて示す斜視図である。
【図６】図６は、本発明に係る同時給排形換気扇の実施の形態２の化粧パネルの取り付け部分の概略構成を分解して示す斜視図である。
【図７】図７は、図６の同時給排形換気扇のチャンバ１１とセパレータ１２との配置状態の一例を模式的に示す断面図である。
【図８】図８は、本発明に係る同時給排形換気扇の実施の形態３を吸込気流Ａ１および吹出気流Ｂ２の流れる方向に沿って切断して示す断面図である。
【図９】図９は、本発明に係る同時給排形換気扇の実施の形態４を吸込気流Ａ１および吹出気流Ｂ２の流れる方向に沿って切断して示す断面図である。
【図１０】図１０は、本発明に係る同時給排形換気扇の実施の形態５の下面パネル部分の概略構成を示す斜視図である。
【図１１】図１１は、本発明に係る空調装置の実施の形態６を模式的に示す断面図である。
【符号の説明】
【００１６】
ＳＩ  給気口
ＳＯ  排気口
ＵＩ、ＵＩ´  パネル吸込口
ＵＯ、ＵＯ´、ＵＯ´´  パネル吹出口
Ａ１  吸込気流
Ａ２  排気流
Ｂ１  給気流
Ｂ２  吹出気流
１、２０１  外装ケーシング
２、２３、２０２  パネル外装枠
３、３３、１０３、１１３、１２３、２０３  下面パネル
４  本体開口部
５ａ  排気用電動機
５ｂ  給気用電動機
６ａ  排気用羽根
６ｂ  給気用羽根
７ａ  排気用送風機
７ｂ  給気用送風機
８ａ  排気用ファンケーシング
８ｂ  給気用ファンケーシング
９、２０５  熱交換器
１０  回路基板
１２、２５、２７、３５  セパレータ
１４ａ  排気通風路
１４ｂ  給気通風路
１５ａ、２９ａ  排気室
１５ｂ、２９ｂ  給気室
１６  給気側除塵フィルタ
１７  送風機吹出口
２１  パネル取付金具
２１ａ  吸込側開口部
２１ｂ  吹出側開口部
２２  溝
２ａ、２ｂ、２３ａ、２３ｂ、３１ａ、３１ｂ  壁面
２４  レール
２６、２８  嵌め合い構造
３２  排気側除塵フィルタ
３４  引っ掛け構造
２０４  ファン
２０６  給排気通風路
【発明を実施するための最良の形態】
【００１７】
以下に、本発明に係る同時給排形換気扇の実施の形態を図面に基づいて詳細に説明する。なお、この実施の形態によりこの発明が限定されるものではない。【００１８】
実施の形態１．
図１は、本発明に係る同時給排形換気扇の実施の形態１の外観構成を示す斜視図、図２は、図１の同時給排形換気扇の使用時の状態を示す斜視図である。図１において、同時給排形換気扇には、外装ケーシング１が設けられ、外装ケーシング１の下方には、パネル外装枠２を介して下面パネル３が取り付けられている。なお、パネル外装枠２は、角筒状に構成することができる。また、下面パネル３としては、例えば、化粧パネルを用いることができる。【００１９】
ここで、外装ケーシング１の側面には、排気流Ａ２を外装ケーシング１外に排気する排気口ＳＯおよび給気流Ｂ１を外装ケーシング１内に給気する給気口ＳＩが設けられている。また、外装ケーシング１の下方には、吸込気流Ａ１を吸い込むパネル吸込口ＵＩおよび吹出気流Ｂ２を吹き出すパネル吹出口ＵＯが下面パネル３にて形成されている。【００２０】
ここで、パネル吸込口ＵＩとパネル吹出口ＵＯとは、互いに対向するように下面パネル３にて形成することができる。この場合、パネル吸込口ＵＩとパネル吹出口ＵＯとは、下面パネル３に沿って形成し、パネル吸込口ＵＩに吸い込まれる吸込気流Ａ１の方向と、パネル吹出口ＵＯから吹き出された吹出気流Ｂ２の方向とが同一になるように配置することが好ましい。【００２１】
そして、外装ケーシング１内には、パネル吸込口ＵＩと排気口ＳＯとの間の通風路を確保する排気通風路１４ａと、給気口ＳＩとパネル吹出口ＵＯとの間の通風路を確保する給気通風路１４ｂとが、互いに独立して設けられている。【００２２】
そして、同時給排形換気扇を屋内に設置する場合、図２に示すように、下面パネル３を天井面Ｔから室内側に突出させるようにして、外装ケーシング１を天井裏に配置することができる。ここで、下面パネル３は、天井面Ｔに対向するように配置することができる。【００２３】
そして、室内の吸込気流Ａ１がパネル吸込口ＵＩから吸い込まれると、その吸込気流Ａ１は、外装ケーシング１内に導かれる。そして、外装ケーシング１内に導かれた吸込気流Ａ１は、排気通風路１４ａを通ることで排気口ＳＯに導かれ、排気流Ａ２として室外に排気される。【００２４】
これと同時に、室外の給気流Ｂ１が給気口ＳＩから給気されると、その給気流Ｂ１は、外装ケーシング１内に導かれる。そして、外装ケーシング１内に導かれた給気流Ｂ１は、給気通風路１４ｂを通ることでパネル吹出口ＵＯに導かれ、吹出気流Ｂ２として室内に吹き出される。【００２５】
これにより、パネル吹出口ＵＯから吹き出された吹出気流Ｂ２が、パネル吸込口ＵＩから吸い込まれるのを抑制することができ、吹出気流Ｂ２と吸込気流Ａ１との間でショートサーキットが起こるのを抑制することが可能となる。このため、室内の換気による循環を改善することができ、換気効率を向上させることができる。【００２６】
また、下面パネル３を介してパネル吹出口ＵＯとパネル吸込口ＵＩが互いに対向するように配置することにより、パネル吹出口ＵＯとパネル吸込口ＵＩとの間の間隔を大きくすることができる。このため、吹出気流Ｂ２と吸込気流Ａ１との間でショートサーキットが起こるのを抑制することが可能となり、換気効率を向上させることができる。【００２７】
また、パネル吸込口ＵＩとパネル吹出口ＵＯとを下面パネル３に沿って形成することで、吹出気流Ｂ２と吸込気流Ａ１とが天井面Ｔに沿って水平に流れるようにすることができる。このため、パネル吹出口ＵＯ→室内の天井面Ｔ→室内の壁面→室内の床面→室内の壁面→室内の天井面Ｔ→パネル吸込口ＵＩという経路で屋内を循環するような換気流を生成させることができ、換気の澱みを生じにくくすることが可能となることから、換気効率を向上させることができる。【００２８】
また、吹出気流Ｂ２と吸込気流Ａ１とが天井面Ｔに沿って水平に流れるようにすることで、吹出気流Ｂ２が製品の真下にいる人に直接当たるのを防止することが可能となる。このため、吹出気流Ｂ２の風向を調節するルーバーをパネル吹出口ＵＯに設置することなく、特に冬季においてドラフト感を軽減することが可能となる。【００２９】
図３は、図１の同時給排形換気扇の内部構成の一例を透視して示す斜視図、図４は、図３の同時給排形換気扇を吸込気流Ａ１および吹出気流Ｂ２の流れる方向に沿って切断して示す断面図、図５は、図３の同時給排形換気扇の内部構成の一例を切り欠いて示す斜視図である。【００３０】
図３〜図５において、外装ケーシング１の下面には、パネル吸込口ＵＩに吸い込まれた吸込気流Ａ１を外装ケーシング１内に取り入れたり、外装ケーシング１内に吸気された給気流Ｂ１を外装ケーシング１外に排出したりする本体開口部４が形成されている。そして、外装ケーシング１の下方には、パネル外装枠２を介して下面パネル３が本体開口部４を覆うように取り付けられている。ここで、下面パネル３には、パネル吸込口ＵＩから吸い込まれた吸込気流Ａ１と、パネル吹出口ＵＯから吹き出される吹出気流Ｂ２とが交わるのを防止するセパレータ１２が設けられている。なお、セパレータ１２は、仕切り板または隔壁にて構成することができ、吸込気流Ａ１の吸込方向および吹出気流Ｂ２の吹出方向と直交するように配置することができる。【００３１】
また、パネル外装枠２の両側には、吸込気流Ａ１および吹出気流Ｂ２の下面パネル３に沿った進行方向を一方方向に規制する壁面２ａ、２ｂが形成されている。【００３２】
また、外装ケーシング１は、排気口ＳＯから排気される排気流Ａ２と、給気口ＳＩから給気された給気流Ｂ１が外装ケーシング１内で交わらないように仕切られることで、排気通風路１４ａと給気通風路１４ｂとが外装ケーシング１内に互いに独立して形成されている。そして、外装ケーシング１には、排気用送風機７ａ、給気用送風機７ｂ、熱交換器９および回路基板１０が収容されている。ここで、排気用送風機７ａは、排気通風路１４ａ上に配置されている。給気用送風機７ｂは、給気通風路１４ｂ上に配置されている。熱交換器９は、排気通風路１４ａおよび給気通風路１４ｂ上に配置されている。【００３３】
この排気用送風機７ａは、パネル吸込口ＵＩに吸い込ませた吸込気流Ａ１を排気通風路１４ａに送り、排気口ＳＯから排気流Ａ２として排気させることができる。なお、排気用送風機７ａには、排気流Ａ２を形成する排気用羽根６ａ、排気用羽根６ａを回転させる排気用電動機５ａおよび排気用羽根６ａと排気用電動機５ａを囲むように構成された渦巻状の排気用ファンケーシング８ａが設けられている。【００３４】
また、給気用送風機７ｂは、給気口ＳＩから給気通風路１４ｂに給気させた給気流Ｂ１をパネル吹出口ＵＯに送り、パネル吹出口ＵＯから吹出気流Ｂ２として吹き出させることができる。なお、給気用送風機７ｂには、給気流Ｂ１を形成する給気用羽根６ｂ、給気用羽根６ｂを回転させる給気用電動機５ｂおよび給気用羽根６ｂと給気用電動機５ｂを囲むように構成された渦巻状の給気用ファンケーシング８ｂが設けられている。また、給気用ファンケーシング８ｂには、給気流Ｂ１を吹き出す送風機吹出口１７が下面パネル３に対向するように形成されている。【００３５】
また、熱交換器９は、排気口ＳＯから排気される排気流Ａ２と、給気口ＳＩから給気された給気流Ｂ１との間で熱交換を行わせることができる。なお、熱交換器９は、図５に示すように、互いに直交する通風路が交互に積層された６面体構造をなすことができる。そして、排気流Ａ２については、下面パネル３に対して垂直方向に熱交換器９内の通風路が確保され、給気流Ｂ１については、吹出気流Ｂ２の吹出方向に熱交換器９内の通風路が確保されるように、熱交換器９を外装ケーシング１内に配置することができる。【００３６】
また、回路基板１０には、排気用電動機５ａおよび給気用電動機５ｂに電源を供給する電源回路や排気用電動機５ａおよび給気用電動機５ｂの回転を制御する制御回路を搭載することができる。【００３７】
ここで、給気口ＳＩおよび排気口ＳＯは、吸込気流Ａ１の吸込方向および吹出気流Ｂ２の吹出方向と直交する方向に並べて配置されている。また、給気口ＳＩ、熱交換器９および給気用送風機７ｂは、吸込気流Ａ１の吸込方向および吹出気流Ｂ２の吹出方向に沿ってこの順番で並べて配置されている。また、排気口ＳＯ、排気用送風機７ａおよび回路基板１０は、吸込気流Ａ１の吸込方向および吹出気流Ｂ２の吹出方向に沿ってこの順番で並べて配置されている。すなわち、熱交換器９および回路基板１０は、外装ケーシング１の一方の対角位置に配置されるとともに、給気用送風機７ｂおよび排気用送風機７ａは、外装ケーシング１の他方の対角位置に配置されている。【００３８】
また、排気用羽根６ａは、熱交換器９に対向するように配置されている。また、排気用電動機５ａは熱交換器９側に配置されている。また、排気用ファンケーシング８ａは、排気口ＳＯに接続されている。また、給気用羽根６ｂと給気用電動機５ｂにより構成されている給気用送風機７ｂは、熱交換器９に対向するように配置されている。【００３９】
また、排気口ＳＯと熱交換器９との間には、給気流Ｂ１の除塵を行う給気側除塵フィルタ１６が設置されている。また、パネル外装枠２にて仕切られた外装ケーシング１下の空間がセパレータ１２にて２分割されることで、排気通風路１４ａに通じる排気室１５ａと給気通風路１４ｂに通じる給気室１５ｂが形成されている。【００４０】
そして、排気用電動機５ａおよび給気用電動機５ｂにて排気用羽根６ａおよび給気用羽根６ｂがそれぞれ回転されると、室内の吸込気流Ａ１がパネル吸込口ＵＩから天井面Ｔに沿って水平に吸い込まれるとともに、室外の給気流Ｂ１が給気口ＳＩから給気される。【００４１】
そして、吸込気流Ａ１がパネル吸込口ＵＩから天井面Ｔに沿って水平に吸い込まれると、セパレータ１２にて前方が塞がれているため、吸込気流Ａ１の進行方向が変えられ、排気流Ａ２として熱交換器９に導かれる。また、室外の給気流Ｂ１が給気口ＳＩから給気されると、給気口ＳＩの正面には熱交換器９が設置されているため、その給気流Ｂ１が熱交換器９に導かれる。そして、排気流Ａ２および給気流Ｂ１が熱交換器９に導かれると、排気流Ａ２と給気流Ｂ１との間で熱交換が行われた後、排気流Ａ２は排気用送風機７ａに流入するとともに、給気流Ｂ１は給気用送風機７ｂに流入する。ここで、排気流Ａ２と給気流Ｂ１との間で熱交換を行わせることで、排気熱を回収させることができ、冷暖房にかかる負荷を軽減することができる。【００４２】
そして、排気流Ａ２が排気用送風機７ａに流入すると、排気用送風機７ａにて排気口ＳＯの方向に導かれ、排気口ＳＯから室外に排気される。一方、給気流Ｂ１が給気用送風機７ｂに流入すると、給気用送風機７ｂにて下面パネル３の方向に導かれ、送風機吹出口１７を介して送出される。そして、給気流Ｂ１が送風機吹出口１７を介して送出されると、前方は下面パネル３にて塞がれ、側方は壁面２ａ、２ｂにて塞がれ、後方はセパレータ１２にて塞がれているため、パネル吹出口ＵＯから吹出気流Ｂ２として天井面Ｔに沿って室内に水平に吹き出される。【００４３】
そして、吸込気流Ａ１がパネル吸込口ＵＩから天井面Ｔに沿って水平に吸い込まれるとともに、吹出気流Ｂ２がパネル吹出口ＵＯから天井面Ｔに沿って水平に吹き出されると、パネル吹出口ＵＯ→室内の天井面Ｔ→室内の壁面→室内の床面→室内の壁面→室内の天井面Ｔ→パネル吸込口ＵＩという経路で屋内を循環するような換気流を生成され、換気の澱みの発生を抑制しつつ、室内の換気を行わせることができる。【００４４】
また、吹出気流Ｂ２と吸込気流Ａ１とが天井面Ｔに沿って水平に流れるようにすることで、排気用送風機７ａおよび給気用送風機７ｂからの騒音が、パネル吹出口ＵＯおよびパネル吹出口ＵＯから製品の真下にいる人へ直接届くのを防止することが可能となり、静粛性を向上させることができる。【００４５】
実施の形態２．
図６は、本発明に係る同時給排形換気扇の実施の形態２の化粧パネルの取り付け部分の概略構成を分解して示す斜視図、図７は、図６の同時給排形換気扇のチャンバ１１とセパレータ１２との配置状態の一例を模式的に示す断面図である。図６および図７において、外装ケーシング１の下面には、パネル取付金具２１が設けられ、外装ケーシング１に固定される。【００４６】
ここで、パネル取付金具２１の外枠は、外装ケーシング１の下面に設けられた本体開口部４の外周に対応するように構成することができ、角筒状の形状を持たせることができる。また、パネル取付金具２１の外装ケーシング１に対向する面には、パネル吸込口ＵＩから吸い込まれた吸込気流Ａ１を外装ケーシング１内に導く吸込側開口部２１ａが設けられるとともに、図３の送風機吹出口１７から吹き出された給気流Ｂ１を吹出気流Ｂ２としてパネル吹出口ＵＯに導く吹出側開口部２１ｂが設けられている。【００４７】
そして、パネル外装枠２３は、パネル取付金具２１に対して上下に移動できるようにパネル取付金具２１に取り付けられている。ここで、パネル外装枠２３の外枠は、パネル取付金具２１の外枠に密着させながら、パネル外装枠２３とパネル取付金具２１とを互いに上下にずらすことができるように構成することができる。【００４８】
また、パネル外装枠２３の両側には、吸込気流Ａ１および吹出気流Ｂ２の下面パネル１０３に沿った進行方向を一方方向に規制する壁面２３ａ、２３ｂが形成されている。また、パネル取付金具２１とパネル外装枠２３との間に隙間から風漏れが発生しないようにするため、パネル取付金具２１とパネル外装枠２３との間に緩衝材を設けるようにしてもよい。【００４９】
ここで、パネル取付金具２１に対するパネル外装枠２３の移動方向を上下に規制するため、パネル取付金具２１には、溝２２が上下方向に形成されるとともに、パネル外装枠２３には、溝２２に嵌め込み可能なレール２４が形成されている。なお、パネル取付金具２１にレールを形成し、パネル外装枠２３に溝を形成するようにしてもよい。【００５０】
また、パネル取付金具２１および下面パネル１０３には、パネル吸込口ＵＩから吸い込まれた吸込気流Ａ１と、パネル吹出口ＵＯから吹き出される吹出気流Ｂ２とが交わるのを防止するセパレータ２５、２７がそれぞれ設けられている。なお、セパレータ２５、２７は、仕切り板または隔壁にて構成することができ、下面パネル１０３に垂直に配置することができる。また、セパレータ２５、２７は、樹脂などの弾性体で構成することができる。そして、セパレータ２５、２７には、嵌め合い構造２６、２８がそれぞれ設けられている。ここで、この嵌め合い構造２６、２８は、セパレータ２５、２７を互いに嵌め合わせることでセパレータ２５、２７同士を互いに密着させつつ、上下にずらすことができるように構成することができる。【００５１】
そして、下面パネル１０３の両端付近が壁面２３ａ、２３ｂにて支持されるようにパネル外装枠２３に固定されることで、パネル吸込口ＵＩおよびパネル吹出口ＵＯが下面パネル１０３にて形成される。【００５２】
また、パネル取付金具２１にて仕切られた外装ケーシング１下の空間がセパレータ２５、２７にて２分割されることで、外装ケーシング１の排気通風路１４ａに通じる排気室２９ａと、外装ケーシング１の給気通風路１４ｂに通じる給気室２９ｂが形成される。【００５３】
そして、パネル吸込口ＵＩから水平に吸い込まれた吸込気流Ａ１は、セパレータ２５、２７にて進行方向が垂直に変えられ、排気室２９ａを介して外装ケーシング１の排気通風路１４ａに導かれる。一方、送風機吹出口１７から垂直に送出された給気流Ｂ１は、下面パネル１０３にて進行方向が水平に変えられ、パネル吹出口ＵＯから吹出気流Ｂ２として室内に水平に吹き出される。【００５４】
これにより、送風機吹出口１７から送出された給気流Ｂ１が吹出気流Ｂ２として直接吹き出されるのを防止することが可能となり、給気用送風機７ｂからの吹き出し音を低減することが可能となる。【００５５】
また、パネル外装枠２３とパネル取付金具２１とを互いに上下にずらせるように構成することにより、外装ケーシング１と下面パネル１０３との間の間隔を調整することが可能となる。このため、施行時に外装ケーシング１と図２の天井面Ｔとの間の隙間に合わせて、下面パネル１０３の上下方向の位置を調整することができ、天井面Ｔの厚みが一定でない場合においても、下面パネル１０３が天井面Ｔから出過ぎた位置に固定されたり、下面パネル１０３が天井面Ｔ内に引っ込められた位置に固定されたりするのを防止することができる。【００５６】
実施の形態３．
図８は、本発明に係る同時給排形換気扇の実施の形態３を吸込気流Ａ１および吹出気流Ｂ２の流れる方向に沿って切断して示す断面図である。図８において、この同時給排形換気扇では、図４の下面パネル３の代わりに下面パネル１１３が設けられている。ここで、下面パネル１１３は、吸込気流Ａ１の吸込側と吹出気流Ｂ２の吹出側において、パネル外装枠２の外側に水平に張り出すように構成されている。【００５７】
そして、吸込気流Ａ１の吸込側と吹出気流Ｂ２の吹出側において、下面パネル１１３が天井面Ｔと対抗するように配置されることで、パネル吸込口ＵＩ´とパネル吹出口ＵＯ´が、下面パネル１１３と天井面Ｔとの間に形成されている。【００５８】
そして、パネル吸込口ＵＩ´から水平に吸い込まれた吸込気流Ａ１は、セパレータ１２にて進行方向が垂直に変えられ、熱交換器９および排気用送風機７ａを介して、排気口ＳＯから排気流Ａ２として室外に排気される。【００５９】
一方、給気口ＳＩから給気された室外の給気流Ｂ１は、熱交換器９および給気用送風機７ｂを介して送風機吹出口１７から吹き出される。そして、下面パネル１１３にて進行方向が水平に変えられ、パネル吹出口ＵＯ´から吹出気流Ｂ２として室内に水平に吹き出される。【００６０】
これにより、パネル吸込口ＵＩ´およびパネル吹出口ＵＯ´からの運転騒音に対して、天井面Ｔに沿って水平方向に指向性を持たせることが可能となる。このため、パネル吸込口ＵＩ´もしくはパネル吹出口ＵＯ´から製品の真下にいる人へ騒音が直接届くのを防止することが可能となり、真下にいる人に対して騒音を低減することができる。【００６１】
なお、パネル外装枠２からの下面パネル１１３の張り出し量Ｇは、８０ｍｍまでは徐々に騒音が低減される。例えば、喚起風量が５００ｍ３／ｈでは、張り出し量Ｇを３０ｍｍに設定すると、騒音低減効果は−２ｄＢ、張り出し量Ｇを８０ｍｍに設定すると、騒音低減効果は−３ｄＢになる。【００６２】
一方、下面パネル１１３の張り出し量Ｇが大きいほど騒音低減効果は大きくなるが、張り出し量Ｇが８０ｍｍを超えると、下面パネル１１３の意匠性が損なわれる上に、騒音低減効果の増大が少なくなる。このため、パネル外装枠２からの下面パネル１１３の張り出し量Ｇは、３０〜８０ｍｍの範囲内に設定することが好ましい。【００６３】
なお、図８の例では、吸込気流Ａ１の吸込側と吹出気流Ｂ２の吹出側の双方において、パネル外装枠２の外側に下面パネル１１３を水平に張り出させた構成について説明したが、吸込気流Ａ１の吸込側と吹出気流Ｂ２の吹出側とのいずれか一方について、パネル外装枠２の外側に下面パネル１１３を水平に張り出させるようにしてもよい。【００６４】
実施の形態４．
図９は、本発明に係る同時給排形換気扇の実施の形態４を吸込気流Ａ１および吹出気流Ｂ２の流れる方向に沿って切断して示す断面図である。図９において、この同時給排形換気扇では、図４の下面パネル３の代わりに下面パネル１２３が設けられている。ここで、下面パネル１２３は、吹出気流Ｂ２の吹出側において、端部が斜め下を向くように構成されることで、パネル吹出口ＵＯ´´が下面パネル１２３にて構成されている。【００６５】
そして、パネル吸込口ＵＩから水平に吸い込まれた吸込気流Ａ１は、セパレータ１２にて進行方向が垂直に変えられ、熱交換器９および排気用送風機７ａを介して、排気口ＳＯから排気流Ａ２として室外に排気される。【００６６】
一方、給気口ＳＩから給気された室外の給気流Ｂ１は、熱交換器９および給気用送風機７ｂを介して送風機吹出口１７から吹き出される。そして、下面パネル１２３にて進行方向が斜め下に変えられ、パネル吹出口ＵＯ´´から吹出気流Ｂ２として室内に斜め下に吹き出される。【００６７】
これにより、吹出気流Ｂ２が製品の真下にいる人に直接当たるのを防止することが可能となり、特に冬季においてドラフト感を軽減することが可能となるとともに、コアンダ効果によって吹出気流Ｂ２が天井面Ｔに沿って流れるのを防止することができ、吹出気流Ｂ２に起因する経年的な天井面Ｔの汚れを抑制することができる。【００６８】
なお、吹出気流Ｂ２の下面パネル１２３による助走距離Ｈは、３０〜５０ｍｍの範囲内に設定することが好ましい。また、吹出気流Ｂ２の吹出角は、天井面Ｔに対して３０〜４５度の範囲内に設定することが好ましい。【００６９】
なお、図９の例では、吹出気流Ｂ２の吹出側において、下面パネル１２３の端部が斜め下を向くように折り曲げた構成について説明したが、吸込気流Ａ１の吸込側と吹出気流Ｂ２の吹出側との双方について、下面パネル１２３の端部が斜め下を向くように折り曲げるようにしてもよい。【００７０】
実施の形態５．
図１０は、本発明に係る同時給排形換気扇の実施の形態５の下面パネル部分の概略構成を示す斜視図である。図１０において、図３の外装ケーシング１の下方には、パネル外装枠３１を介して下面パネル３３を取り付けることができる。ここで、パネル外装枠３１の両側には、吸込気流Ａ１および吹出気流Ｂ２の進行方向を規定する壁面３１ａ、３１ｂが形成されている。【００７１】
また、下面パネル３３には、吸込気流Ａ１と、吹出気流Ｂ２とが交わるのを防止するセパレータ３５が設けられている。また、下面パネル３３はセパレータ３５に沿って２分割され、その境界を支点として片側を外側に折り返すことができるように構成されている。ここで、下面パネル３３は、分割された片側を開くことで、熱交換器９を露出させることができる。【００７２】
そして、下面パネル３３には、下面パネル３３の片側を折り返した時に下面パネル３３をパネル外装枠３１にて支持させる引っ掛け構造３４が形成されている。【００７３】
また、パネル外装枠３１には、排気側除塵フィルタ３２が取り付けられ、図６の吸込側開口部２１ａとパネル吸込口ＵＩとの間に配置されている。なお、排気側除塵フィルタ３２は、セパレータ３５にて仕切られたパネル外装枠３１のパネル吸込口側全体を覆うことができる。【００７４】
そして、パネル吸込口ＵＩから水平に吸い込まれた吸込気流Ａ１は、セパレータ３５にて進行方向が垂直に変えられ、排気側除塵フィルタ３２を通過する。そして、排気側除塵フィルタ３２にて除塵されてから、排気流Ａ２として図５の外装ケーシング１に導かれる。そして、図５の熱交換器９および排気用送風機７ａを介して、排気口ＳＯから室外に排気される。【００７５】
一方、給気口ＳＩから給気された室外の給気流Ｂ１は、図３の給気側除塵フィルタ１６を通過する。そして、給気側除塵フィルタ１６にて除塵されてから、熱交換器９および給気用送風機７ｂを介して送風機吹出口１７から吹き出される。そして、下面パネル３３にて進行方向が水平に変えられ、パネル吹出口ＵＯから吹出気流Ｂ２として室内に水平に吹き出される。【００７６】
ここで、下面パネル３３を２分割し、下面パネル３３の片側を外側に折り返すことができるようにすることで、清掃などのメンテナンス時に下面パネル３３全体を取り外す必要がなくなり、メンテナンス時の作業性を向上させることができる。【００７７】
また、下面パネル３３を２分割することで、下面パネル３３全体を一体的に取り扱う必要がなくなり、下面パネル３３の運搬や製造を容易化することができる。【００７８】
また、図６の吸込側開口部２１ａとパネル吸込口ＵＩとの間に排気側除塵フィルタ３２を配置するとともに、給気口ＳＩと熱交換器９との間に給気側除塵フィルタ１６を配置することにより、下面パネル３３の片側のみを外側に折り返した場合においても、給気側除塵フィルタ１６および排気側除塵フィルタ３２を容易に取り出すことが可能となり、メンテナンス時の作業性を向上させることができる。【００７９】
なお、上述した実施の形態では、外装ケーシング１に熱交換器９を設置する方法について説明したが、熱交換器９はなくてもよい。【００８０】
また、熱交換器９をバイパスさせるバイパス通風路および排気通風路１４ａを閉止した上でバイパス通風路を開放するダンパ装置を設け、熱交換を伴わない普通換気が行えるようにしてもよい。【００８１】
実施の形態６．
図１１は、本発明に係る空調装置の実施の形態６の概略構成を模式的に示す断面図である。図１１において、空調装置には、外装ケーシング２０１が設けられ、外装ケーシング２０１の下方には、パネル外装枠２０２を介して下面パネル２０３が取り付けられている。なお、パネル外装枠２０２は、角筒状に構成することができる。また、下面パネル２０３としては、例えば、化粧パネルを用いることができる。【００８２】
そして、外装ケーシング２０１の下方には、吸込気流Ａ１を吸い込むパネル吸込口ＵＩおよび吹出気流Ｂ２を吹き出すパネル吹出口ＵＯが下面パネル２０３にて形成されている。【００８３】
ここで、パネル吸込口ＵＩとパネル吹出口ＵＯとは、互いに対向するように下面パネル２０３にて形成することができる。この場合、パネル吸込口ＵＩとパネル吹出口ＵＯとは、下面パネル２０３に沿って形成し、パネル吸込口ＵＩに吸い込まれる吸込気流Ａ１の方向と、パネル吹出口ＵＯから吹き出された吹出気流Ｂ２の方向とが同一になるように配置することが好ましい。【００８４】
そして、外装ケーシング２０１内には、パネル吸込口ＵＩとパネル吹出口ＵＯとの間の通風路を確保する給排気通風路２０６が設けられている。また、給排気通風路２０６上には、ファン２０４および熱交換器２０５が設けられている。ここで、熱交換器２０５は、パネル吸込口ＵＩから吸い込まれた吸込気流Ａ１の温度を調節することができる。この熱交換器２０５には、例えば、圧縮器、凝縮器および蒸発器を設けることができる。ファン２０４は、吸込気流Ａ１をパネル吸込口ＵＩに吸い込ませ、吹出気流Ｂ２としてパネル吹出口ＵＯから吹き出させることができる。【００８５】
そして、室内の吸込気流Ａ１がパネル吸込口ＵＩから吸い込まれると、その吸込気流Ａ１は、外装ケーシング２０１内に導かれる。そして、外装ケーシング２０１内に導かれた吸込気流Ａ１は、熱交換器２０５にて熱交換された後、パネル吹出口ＵＯから吹出気流Ｂ２として室内に吹き出される。【００８６】
ここで、パネル吸込口ＵＩとパネル吹出口ＵＯとは、互いに対向するように下面パネル２０３にて形成することで、パネル吸込口ＵＩに吸い込まれる吸込気流Ａ１の方向と、パネル吹出口ＵＯから吹き出された吹出気流Ｂ２の方向とが同一になるようにすることができる。このため、天井面に沿って循環するように吸込気流Ａ１および吹出気流Ｂ２を流すことができ、吹出気流Ｂ２と吸込気流Ａ１との間でショートサーキットが起こるのを抑制することが可能となることから、空調効率を向上させることができる。【００８７】
なお、図１１の実施の形態６では、空調装置としてエアーコンディショナを例にとって説明したが、熱交換器２０５の代わりに濾過フィルタを用いることにより、空気清浄機に適用するようにしてもよい。なお、濾過フィルタとしては、例えば、集塵フィルタ、脱臭フィルタ、除菌フィルタなどを用いることができる。
【産業上の利用可能性】
【００８８】
以上のように本発明に係る同時給排形換気扇は、吸込気流および吹出気流が天井面に沿って同一の方向に流れるようにすることができ、室内に吹き出された吹出気流と、室内から吸い込まれる吸込気流との間でショートサーキットが起こるのを抑制する方法に適している。
【図１】
2010097883.tif 000003
【図２】
2010097883.tif 000004
【図３】
2010097883.tif 000005
【図４】
2010097883.tif 000006
【図５】
2010097883.tif 000007
【図６】
2010097883.tif 000008
【図７】
2010097883.tif 000009
【図８】
2010097883.tif 000010
【図９】
2010097883.tif 000011
【図１０】
2010097883.tif 000012
【図１１】
2010097883.tif 000013
【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
互いに独立した排気通風路と給気通風路とが形成された外装ケーシングと、
前記外装ケーシングの下方に設けられ、パネル吸込口とパネル吹出口とを互いに対向するように形成する下面パネルと、
前記外装ケーシングに収容され、前記パネル吸込口に吸い込ませた吸込気流を前記排気通風路に送り、排気流として排気させる排気用送風機と、
前記外装ケーシングに収容され、前記給気通風路に給気させた給気流を前記パネル吹出口に送り、吹出気流として吹き出させる給気用送風機とを備え、
前記パネル吸込口とパネル吹出口とは、前記下面パネルに沿って吸込気流および吹出気流が形成されるように前記下面パネルの縁部に形成され、
前記パネル吸込口側または前記パネル吹出口側のいずれか少なくとも一方の前記下面パネルが天井面と対向するように排気室もしくは給気室より張り出していることを特徴とする同時給排形換気扇。
【請求項２】
前記パネル吸込口とパネル吹出口とは、前記パネル吸込口に吸い込まれる吸込気流の方向と、前記パネル吹出口から吹き出された吹出気流の方向とが同一になるように配置されていることを特徴とする請求項１に記載の同時給排形換気扇。
【請求項３】
前記パネル吸込口とパネル吹出口とは、前記下面パネルと天井面との間に形成されることを特徴とする請求項１または２に記載の同時給排形換気扇。
【請求項４】
前記パネル吹出口は、斜め下に向けられていることを特徴とする請求項１または３に記載の同時給排形換気扇。
【請求項５】
前記下面パネルと前記外装ケーシングとの間に配置され、前記外装ケーシングとの間の間隔を調整可能なパネル外装枠と、
前記下面パネルに設けられ、前記排気通風路に通じる排気室と、前記給気通風路に通じる給気室を、前記パネル外装枠の壁面とともに互いに独立して形成し、外装ケーシングと下面パネルととの間隔を調整可能なセパレータとをさらに備えることを特徴とする請求項１から４のいずれか１項に記載の同時給排形換気扇。
【請求項６】
前記パネル吸込口と前記排気用送風機との間に設けられた排気側除塵フィルタと、
前記給気用送風機の上流側に設けられた給気側除塵フィルタとをさらに備えることを特徴とする請求項５に記載の同時給排形換気扇。
【請求項７】
前記下面パネルは、片側が独立して開くことができるように２分割されていることを特徴とする請求項１から６のいずれか１項に記載の同時給排形換気扇。
【請求項８】
前記給気用送風機は、前記下面パネルの水平面に向けて前記給気流を送出し、前記給気流が前記下面パネルにて水平方向に向きを変えられて前記パネル吹出口から吹出気流として吹き出されることを特徴とする請求項１から７のいずれか１項に記載の同時給排形換気扇。
【請求項９】
給排気通風路が形成された外装ケーシングと、
前記外装ケーシングの下方に設けられ、パネル吸込口とパネル吹出口とを互いに対向するように形成する下面パネルと、
前記外装ケーシングに収容され、前記パネル吸込口から吸い込ませた吸込気流を吹出気流として前記パネル吹出口から吹き出させるファンと、
前記外装ケーシングに収容され、前記パネル吸込口から吸い込まれた吸込気流の温度を調節する熱交換器とを備えることを特徴とする空調装置。
【請求項１０】
給排気通風路が形成された外装ケーシングと、
前記外装ケーシングの下方に設けられ、パネル吸込口とパネル吹出口とを互いに対向するように形成する下面パネルと、
前記外装ケーシングに収容され、前記パネル吸込口から吸い込ませた吸込気流を吹出気流として前記パネル吹出口から吹き出させるファンと、
前記外装ケーシングに収容され、前記パネル吸込口から吸い込まれた吸込気流の濾過を行うフィルタとを備えることを特徴とする空調装置。
【手続補正２】
【補正対象書類名】明細書
【補正対象項目名】０００３
【補正方法】変更
【補正の内容】
【０００３】
このような同時給排形換気扇として、特許文献１には、外箱内に角柱状の熱交換器を収納し、この熱交換器を天井面パネルで覆い、室外から給気された外気を熱交換器の流入側から流出側に通して天井面パネルに設けられた室内側吹出口から室内へ吹き出し、天井面パネルに設けられた室内側吸込口から吸い込まれた吸込気流を、熱交換器の流入側から流出側に通して室外へ排気する同時給排形換気扇が開示されている。この同時給排形換気扇では、複数個の熱交換器が長手方向の稜線を対向させて幅方向に並列に配置され、熱交換器の外気流出側および排気流入側がそれぞれ天井面パネルに対向され、天井向パネルの側面の内の三側面に室内側吹出口が設けられるとともに、一側面に室内側吸込口が設けられている。 
【手続補正３】
【補正対象書類名】明細書
【補正対象項目名】００１３
【補正方法】変更
【補正の内容】
【００１３】
上述した課題を解決し、目的を達成するために、本発明の同時給排形換気扇は、互いに独立した排気通風路と給気通風路とが形成された外装ケーシングと、前記外装ケーシングの下方に設けられ、パネル吸込口とパネル吹出口とを互いに対向するように形成する下面パネルと、前記外装ケーシングに収容され、前記パネル吸込口に吸い込ませた吸込気流を前記排気通風路に送り、排気流として排気させる排気用送風機と、前記外装ケーシングに収容され、前記給気通風路に給気させた給気流を前記パネル吹出口に送り、吹出気流として吹き出させる給気用送風機とを備え、前記パネル吸込口とパネル吹出口とは、前記下面パネルに沿って吸込気流および吹出気流が形成されるように前記下面パネルの縁部に形成され、前記パネル吸込口側または前記パネル吹出口側のいずれか少なくとも一方の前記下面パネルが天井面と対向するように排気室もしくは給気室より張り出している。
【手続補正４】
【補正対象書類名】明細書
【補正対象項目名】００４４
【補正方法】変更
【補正の内容】
【００４４】
また、吹出気流Ｂ２と吸込気流Ａ１とが天井面Ｔに沿って水平に流れるようにすることで、排気用送風機７ａおよび給気用送風機７ｂからの騒音が、パネル吹出口ＵＯおよびパネル吸込口ＵＩから製品の真下にいる人へ直接届くのを防止することが可能となり、静粛性を向上させることができる。 
【手続補正５】
【補正対象書類名】明細書
【補正対象項目名】００５７
【補正方法】変更
【補正の内容】
【００５７】
そして、吸込気流Ａ１の吸込側と吹出気流Ｂ２の吹出側において、下面パネル１１３が天井面Ｔと対向するように配置されることで、パネル吸込口ＵＩ´とパネル吹出口ＵＯ´が、下面パネル１１３と天井面Ｔとの間に形成されている。
【国際調査報告】
2010097883.tif 000014
2010097883.tif 000015